(57)【要約】【課題】簡素な構成で表示部の輝度を増大させる。【解決手段】表示装置２は、表面に、乱反射面９を有する傾斜溝８が形成されたガラス板５と、このガラス板５の外周に設けられた枠体６に取り付けられ、ガラス板５の側面からガラス板内部に光を発する発光ダイオード７とを備えて構成される。ガラス板５は、基台３に貼着された反射シート４上に密着される。傾斜溝８の底部には、乱反射面９に連続して延びる切り込み１０を形成している。発光ダイオード７から光が発せられると、光は直接にまたは反射シート４に反射して乱反射面９に当たって外部に放射される。ガラス板７内部を透過する光のうち、切り込み１０に当たった光は一部が、背後から乱反射面９に当たるようになっている。【選択図】図１
2009069201.tif 000002
【特許請求の範囲】
【請求項１】
表面に、反射面を有する傾斜溝が形成された透明体と、この透明体の周囲に配置され、透明体内部に光を発し、傾斜溝の反射面を介して光を外部に放射させる光源とを備えた表示装置において、傾斜溝の底部に反射面に連続して延びる切り込みを形成したことを特徴とする表示装置。
【発明の詳細な説明】
【技術分野】
【０００１】
本発明は、反射面に光を投光して表示する表示装置に関するものである。
【背景技術】
【０００２】
従来、表示装置として、板状の透明体の表面にシボ処理された乱反射面を有するＶ字状溝を刻設し、透明体の端縁に設けた発光ダイオードにより乱反射面に向けて光を照射し、透明体内部を透過する光をＶ字状溝から外部に放射して、Ｖ字状溝により彫り込まれた文字を表示するようにした携帯表示板が知られている。（特許文献１参照）。
【特許文献１】特開平８−１４６８９５号公報（第３頁、図４）
【発明の開示】
【発明が解決しようとする課題】
【０００３】
しかしながら、上記従来の表示装置では、Ｖ字状溝が光の透過方向に重なった場合など、光量が減少し、十分な輝きが得られないという問題があった。このため、光源をパワーアップしたり、多方向から光を得られるよう多数の光源を設けるようにして輝度の低下を抑える必要があり、大型化が避けられないきらいがあった。また、シボ処理された溝表面には、横方向からしか光を入射させることができないため、Ｖ字溝で乱反射させると、拡散しやすく輝度が落ちるという問題があった。
【０００４】
本発明は、上記課題を解決するためになされたもので、簡素な構成で光源からの光を無駄なく確実に外部に放射して光の拡散を防ぐことができる表示装置を提供することを目的とするものである。
【課題を解決するための手段】
【０００５】
本発明の請求項１に係る表示装置は、表面に、反射面を有する傾斜溝が形成された透明体と、この透明体の周囲に配置され、透明体内部に光を発し、傾斜溝の反射面を介して光を外部に放射させる光源とを備えた表示装置において、傾斜溝の底部に反射面に連続して延びる切り込みを形成したものである。
【０００６】
本発明の請求項１に係る表示装置では、表面に、反射面を有する傾斜溝が形成された透明体と、この透明体の周囲に配置され、透明体内部に光を発し、傾斜溝の反射面を介して光を外部に放射させる光源とを備えた表示装置において、傾斜溝の底部に反射面に連続して延びる切り込みを形成したことにより、光源から透明体に光が照射されると、傾斜溝の反射面に当たった光は外部に放射される。光源からの光のうち、切り込みに当たった光は、切り込み内で屈折率の大きい透明体から屈折率の小さい空気中に進むと向きが変わり、一部は切り込み面間を反射して外部に放射され、一部は切り込み内空間から再び透明体内に進んで傾斜溝の背面で擾乱され一部が反射面に当たる。このため、傾斜溝の反射面には、背後からも光が当たり、輝度が増大される。また、反射面には、光源の方向とともに背後からも光が当たるので、拡散が抑制される。
【発明の効果】
【０００７】
本発明に係る表示装置は、表面に、反射面を有する傾斜溝が形成された透明体と、この透明体の周囲に配置され、透明体内部に光を発し、傾斜溝の反射面を介して光を外部に放射させる光源とを備えた表示装置において、傾斜溝の底部に反射面に連続して延びる切り込みを形成したので、光の拡散を抑えて輝度を増すことができ、装置を小型化することができる。
【発明を実施するための最良の形態】
【０００８】
簡素な構成でしかも光源からの光を効率的に利用するという目的を、傾斜溝の底部に反射面に連続して延びる切り込みを形成した構成とすることにより実現した。
【実施例１】
【０００９】
以下、図面に示す実施例により本発明を説明する。図１は本発明の一実施例に係る表示装置の断面図である。本実施例に係る表示装置２は、例えば、交通標識に用いられる表示装置であって、図１に示すように、基台３に反射シート４を貼着し、この反射シート４上に、厚さ数mmのガラス板（透明体）５を密着させて構成される。基台３の外周には枠体６が取り付けられる。枠体６には、ガラス板５の側面５Ａに向けて光を照射する発光ダイオード（光源）７が所定の間隙を隔てて設けられる。これら発光ダイオード７は、図示しないバッテリにスイッチング回路を介して接続される。
【００１０】
ガラス板５の表面には、Ｖ字状の傾斜溝８が彫り込まれる。傾斜溝８は、模様、絵、文字、記号、広告等のデザインに応じて、ガラス板５に彫り込まれるようになっている。傾斜溝８の表面は、シボ処理されてざらついた曇りガラスのように細かい凹凸面となった乱反射面（反射面）９となっている。発光ダイオード７からガラス板５の側面に向けて光が照射されると、光はガラス板５内を透過し直接にまたは反射シート４に反射されて乱反射面９に当たり乱反射面９で乱反射されて外部に放射されるようになっている。
【００１１】
ところで、本実施例に係る表示装置２では、傾斜溝８の底部に乱反射面９に連続して延びる切り込み１０が形成される。この切り込み１０は、発光ダイオード７から発せられた光を傾斜溝８の乱反射面９に導くように傾斜して形成される。この切り込み１０は、図示しないカッタ装置やレーザー装置で加工されるようになっており、内部に狭隘な切り込み空間Ｓを確保して傾斜溝８の底部から基台３側にわずかに延びるようになっている（本実施例の場合、およそ０．５mm）。この切り込み１０は、発光ダイオード７から発せられた光を受けると、ガラス板５内部で光を擾乱し一部の光を乱反射面９に導くようになっている。すなわち、図２に示すように、発光ダイオード７からガラス板５内を通過してきた光は、切り込み１０に当たると、切り込み１０の内部で屈折率の大きいガラス板５（ガラスの屈折率：１．５〜２．０）から屈折率の小さい空気中（空気の屈折率：１．０００３）に進むと向きが変わり、一部は切り込み１０の切り込み面１０Ａ間を反射して外部に放射され、一部は切り込み１０内の空間Ｓから再びガラス板５内に進んで傾斜溝８の背面で擾乱され一部が乱反射面９に当たる。このため、傾斜溝８の乱反射面９には、背後からも光が当たり、輝度が増大される。また、乱反射面９には、横方向だけでなく背後からも光が当たるので、拡散が抑制される。
【００１２】
次に、上記実施例に係る表示装置２の作用について説明する。この実施例に係る表示装置２は、発光ダイオード７が点灯されて、光が照射されると、光はガラス板７内部を透過し、直接にまたは反射シート４に反射して乱反射面９に当たった光は外部に放射される。ガラス板７内部を透過する光のうち、切り込み１０に当たった光は擾乱されて四方に広がり、一部が直接にまたは反射シート４に反射して、背後から乱反射面９に当たる。このため、傾斜溝８の乱反射面９には、横方向だけでなく背後からも光が当たるので、拡散が抑制され、輝度が増大される。従って、光源側を小型簡素化してコストダウンを図ることができる。
【００１３】
なお、上記実施例では、切り込み１０は一方の乱反射面９と同じ角度で傾斜されて形成されているがこれに限られるものではなく、屈折率を考慮して発光ダイオード７から発せられた光を傾斜溝８の乱反射面９に導く角度に傾斜されていればよいことはいうまでもない。また、上記実施例では、切り込み１０の延長寸法を、厚さ数mmのガラスに対しておよそ０．５mmとしているが、これに限られるものではなく、透明体の厚さや材質に応じて適宜延ばしてもよいことはいうまでもない。但し、実際に行った試験結果から、長すぎず、どちらかというと短寸に形成することが好ましいことが判明した。さらに、切り込み１０の内面もシボ処理して乱反射面としてもよい。また、切り込み１０は、傾斜溝８の底部に角度を変えて複数形成するようにしてもよい。さらに、透明体はガラス板５に限られるものではなく、アクリル等の硬質透明樹脂や軟質の透明樹脂を用いてもよい。また、上記実施例では、表示装置として交通標識に適用した例について説明したが、これに限られるものではなく、看板、店舗のディスプレイ、携帯電話等、多種の表示装置に適用することも可能である。さらに、上記実施例では、光源として発光ダイオード７を例示しているがこれに限られるものではなく、蛍光灯や白熱灯等など多種の光源を用いてもよいことはいうまでもない。
【図面の簡単な説明】
【００１４】
【図１】本発明の一実施例に係る表示装置を示す断面図である。（実施例１）
【図２】図１の表示装置の要部の拡大断面図で、光の進路の一例を示す説明図である。
【符号の説明】
【００１５】
２  表示装置
５  ガラス板（透明体）
７  発光ダイオード（光源）
８  傾斜溝
９  乱反射面（反射面）
１０  切り込み
【図１】
2009069201.tif 000003
【図２】
2009069201.tif 000004
【手続補正書】
【提出日】平成19年9月11日(2007.9.11)
【手続補正１】
【補正対象書類名】図面
【補正対象項目名】全図
【補正方法】変更
【補正の内容】
【図１】
2009069201.tif 000005
【図２】
2009069201.tif 000006